(57)【要約】      （修正有）【課題】爪切りの操作部を上方に伸ばして操作し易い形状の把持部を形成し、太った体型またはふくよかな体型、あるいは妊婦等においても容易に足の爪を切ることができる爪切りを提供する。【解決手段】対向して配置された一対の刃１，２と、手動操作により開閉して刃を圧接方向へ作動させる作動部と、刃同士を離間した状態へ付勢する付勢手段５を備えた爪切りにおいて、前記作動部は刃の上方に伸びる２本のレバー８，９を備えており、レバー８，９の上端には左右水平方向に幅のある把持部８ａ、９ａが形成されている。【選択図】図１
2012100808.tif 000002
【特許請求の範囲】
【請求項１】
対向して配置された一対の刃と、手動操作により開閉して刃を圧接方向へ作動させる作動部と、刃同士を離間した状態へ付勢する付勢手段を備えた爪切りにおいて、
前記作動部は刃の上方に伸びる２本のレバーを備えており、
レバーの上端には左右水平方向に幅のある把持部が形成されていることを特徴とする爪切り。
【請求項２】
前記把持部の一方側を手の平に当て、前記把持部の他方側に指を伸ばして掛け、両把持部を手の握力を利用して掴み、刃を圧接方向へ作動させる構成とした請求項１記載の爪切り。
【請求項３】
前記把持部はロッド状のレバー上端にＴ字型に交差して接続され、その接続部分が回動自在とされていることを特徴とする請求項１又は２記載の爪切り。
【請求項４】
指を伸ばして掛ける把持部を、手の平に当接する把持部よりも２〜３ｃｍ低い位置に設定したことを特徴とする請求項２又は３記載の爪切り。
【発明の詳細な説明】
【技術分野】
【０００１】
本発明は爪切りに関し、特に、爪切りの操作部を上方に伸ばして操作し易い形状の把持部を形成し、太った体型またはふくよかな体型、あるいは妊婦等においても容易に足の爪を切ることができる爪切りに関する。
【背景技術】
【０００２】
一般的に爪切りは、爪の形状に沿って湾曲した上下の刃先を備え、この刃先を二本のレバーによって操作して爪を切断する機能を有している。
このような爪切りに関する技術として特許文献１，２の技術が知られている。
【特許文献１】特開２００９−２０７８１９号公報
【特許文献２】実公昭４０−２２７５０号公報
【発明の開示】
【発明が解決しようとする課題】
【０００３】
特許文献１には上下両把持部が上方に延設された足の爪切りが記載されているが、把持部が細い棒状であるために、操作時に本体がぐらつかないように棒状部に沿って指を添えて支持する必要があり、そのため把持部の後方まで指を伸ばして操作しなければならず、太った体型の使用者には操作し難いという問題がある。
特許文献２に係る爪切りは、上下両把持部を備えた爪切りが記載されているが、特許文献１と同様に足の爪委を切る際に把持部が足の先方に位置するために、手が届きにくいという問題がある。
本発明は係る従来の問題点を解決するためになされたものであって、その目的とするところは、爪切りの操作部を上方に伸ばして操作し易い形状の把持部を形成し、太った体型またはふくよかな体型、あるいは妊婦等においても容易に足の爪を切ることができる爪切りを提供することにある。
【課題を解決するための手段】
【０００４】
前記目的を達成するための手段として、請求項１記載の爪切りでは、対向して配置された一対の刃と、手動操作により開閉して刃を圧接方向へ作動させる作動部と、刃同士を離間した状態へ付勢する付勢手段を備えた爪切りにおいて、前記作動部は刃の上方に伸びる２本のレバーを備えており、レバーの上端には左右水平方向に幅のある把持部が形成されていることを特徴とする。
【０００５】
請求項２記載の爪切りでは、請求項１記載の爪切りにおいて、前記把持部の一方側を手の平に当て、前記把持部の他方側に指を伸ばして掛け、両把持部を手の握力を利用して掴み、刃を圧接方向へ作動させる構成とした。
【０００６】
請求項３記載の爪切りでは、請求項１又は２記載の爪切りにおいて、前記把持部はロッド状のレバー上端にＴ字型に交差して接続され、その接続部分が回動自在とされていることを特徴とする。
【０００７】
請求項４記載の爪切りでは、請求項２又は３記載の爪切りにおいて、指を伸ばして掛ける把持部を、手の平に当接する把持部よりも２〜３ｃｍ低い位置に設定したことを特徴とする。
【発明の効果】
【０００８】
本発明では、前記構成を採用しているので以下の効果を有する。
爪切りの作動部は刃の上方に伸びる２本のレバーを備えているので、太った体型の使用者でも、長いレバーを把持して足の爪へ刃先を容易に位置させることができる。
レバーの上端には左右水平方向に幅のある把持部が形成されているので、レバー操作が容易に行われる。
把持部の一方側を手の平に当て、前記把持部の他方側に指を伸ばして掛ける構成としたので、手の握力を利用して爪切り動作を行うことができる。
把持部はロッド状のレバー上端にＴ字型に交差して接続され、その接続部分が回動自在とされているので、交差した把持部を回転させて前後方向へ回動させることにより、前後動するレバーのラインと同一面とされてかさばらずに収納または携帯が可能である。
指を伸ばして掛ける把持部を、手の平に当接する把持部よりも２〜３ｃｍ低い位置に設定したので、指を自然に伸ばし手の甲を水平位置またはやや下向き加減としてレバーを容易に操作できる。
【発明を実施するための最良の形態】
【０００９】
本発明を実施するための最良の形態を説明する。
【実施例１】
【００１０】
本実施例の爪切りは、図１〜７に示すように、上下方向に対向して配置された一対の刃１，２と、手動操作により開閉して刃を圧接方向へ作動させる作動部３と、刃同士を離間した状態へ付勢する付勢手段４を備えている。
【００１１】
前記刃１，２は先端に刃先を有する上下対称形状２枚の金属製板状体を接合して形成したものであり、板状体の基部同士は重ね合わされて、その重ね合わせ部分は熔着またはビス等によって固着されている。
本実施例では２枚の刃１，２の基部５が密着されているが、刃先方向へ向かって２枚が徐々に離れて隙間が広がり、先端の刃先同士には爪を挿入する隙間６が形成されている。
刃先の先端は上刃１の刃先１ａが斜め下へ、下刃２の刃先２ａが斜め上へ屈曲しており、レバー操作により両者が圧接する構成となっている。
【００１２】
前記上刃１と下刃２は密着部位を基点として互いに外側に反発するように重ね合わされており、反発する上刃１と下刃２が先端に挿通されたピン７と前レバー８の基部によってつなぎ止められている。
２枚の板状体は重ね合わされることによって互いに開く方向に反発する付勢手段４（バネ）として機能し、レバー操作により上刃１と下刃２を圧接して爪を切断した後は、バネによる反発力によって元に戻ろうとする力が作用する。
【００１３】
前記作動部３は刃の前方に取付けられた前レバー８と、刃の後方に取付けられた後レバー９を備えている。
前レバー８はその下端が上刃１先方の上側に取付けられて、取付け部位から刃の後方へ湾曲して上方へ延設されている。
後レバー９はその下端が下刃２の下面に密着して取り付けられて、取付け部位から前方に湾曲して上方に延設されている。
【００１４】
前レバー８の下端は水平に通過する軸を介してピン７の頭部に接続され、上刃１の反発力に抗して上刃１の上側を押さえ付けている。
ピン７は上刃１及び下刃２の先方の貫通孔１０に垂直方向に挿通されて、ピン７は上刃１及び下刃２を上下に貫通している。
下刃２の下面にはピン７の拡幅したストッパ１１が露出している（図５参照）。
ピン７上端は上刃１の上側に突出してその頭部に前レバー８が水平軸を介して接続されている。
前レバー８とピン７の接続部の１ｃｍ程度後方には上刃の上面に当たる当接部位１２が設定されており、この当接部位１２がレバー操作時に上刃１を下刃２に押し付ける作用点として機能する。つまり、前レバー８を後ろへ倒すと当接部位１２がピン７との接続部位（水平軸）を支点として当接部位１２が下に押し下げられ、上刃１を下に押し下げるように機能する。
【００１５】
前後レバー８、９は１ｃｍ前後幅の細い棒状部材によって構成され、前レバー８は刃から１２ｃｍ程度上方へ延設され、後レバー９は１０ｃｍ程度上方へ延設され、前後レバー８、９の上端にはＴ字型に交差して左右水平方向に把持部８ａ、９ａが配置されている。
この把持部８ａ、９ａは水平方向へ伸びる長さ５ｃｍ、直径１ｃｍの棒状体であり、棒状体の中央が螺子１３によってレバー８，９先端に接続されている。
爪切りの使用時には前レバー８の把持部８ａを手のひらにあて、人差し指、中指、薬指を伸ばして先方の把持部９ａへ掛け、両把持部８ａ、９ａを手の内側で把持する。
このとき、付勢手段４の反発力によって両把持部８ａ、９ａは開く方向に付勢されているために、手で軽く両把持部を掴むと手の内側に密着して落下しないように爪切り本体を保持できる。
刃先１ａ、２ａの間に爪を挿入した後は、手の握力によって両把持部８ａ、９ａを掴むと刃先が圧接されて爪を切断する。
本実施例では指の力のみではなく、握力によってレバー操作を行うので強い力により容易に爪切り操作ができる。
尚、前後レバー８、９を操作する指は適宜変更可能である。
【００１６】
把持部８ａ、９ａはレバー上端にＴ字型に交差して取付けられており、螺子１３を支点として水平方向へ回動自在とされ、交差した把持部８ａ、９ａを回転させて前後方向へ回動させることにより、前後動するレバーのラインと同一面とされてかさばらずに収納または携帯が可能である。
【００１７】
本実施例では、上下刃先１ａ、２ａが鉛直方向に圧接するように刃先が位置する場合に、あるいは、水平床面に置いた足先の爪１４（図２参照）を上下刃先１ａ、２ａの隙間６に挿入してレバー操作する設定において、前レバーの把持部８ａに対して後レバーの把持部９ａの高さ（ｈ）が２〜３ｃｍ（本実施例では２ｃｍ）低くなるように設定されている。
この前レバー８に対して後レバー９の高さが２ｃｍ低く設定されていることにより、レバー操作の容易性が実現されている。
つまり、足の爪１４を切る場合は通常腰を折り曲げて手を足の方向へ伸ばして爪切り操作を行うが、本実施例のように後レバー９が低い位置に在る場合は自然に伸ばして、手の甲を水平位置またはやや下向き加減としてレバーの把持操作が可能となる。反対に、前レバー８が後レバー９よりも高い位置に在る場合は、前後レバー８，９に手を掛けると手の甲が上を向くために、そこから前後レバー８，９を把持することは極めて困難である。
【００１８】
次に本発明の作用を説明する。
足の爪切りを行う際には、把持部８ａ、９ａを手の内側に保持して水平床面に置いた足先の爪１４に刃先を挿入する。
このとき、太った体型の使用者では足の爪まで爪切りを到達させることが困難であるが、本発明では刃の上方に伸びる２本のレバー８、９を備えているので、このレバー８、９を把持して足の爪へ刃先１ａ、２ａを容易に位置させることができる。
爪切り時は、前レバーの把持部８ａを手のひらにあて、人差し指、中指、薬指を伸ばして先方の把持部９ａへ掛け、両把持部８ａ、９ａを手の内側で把持する。
このとき、付勢手段４の反発力によって両把持部は開く方向に付勢されているために、手で軽く両把持部を掴むと手の内側に密着して落下しないように爪切り本体を保持できる。
水平床面に置いた足の爪１４を刃先１ａ、２ａの隙間６に挿入して爪切りを行う場合には、後レバー９が前レバー８よりも２ｃｍ低い部位に位置しているので、自然に伸ばして、手の甲を水平位置またはやや下向き加減としてレバーの把持操作が可能となっている。
刃先の隙間に足の爪を挿入した後は、手の握力によって前後レバー８，９を把持して爪切りを行う。
【００１９】
以上、実施例を説明したが、本発明の具体的な構成は前記実施例に限定されるものではなく、発明の要旨を逸脱しない範囲の設計変更等があっても本発明に含まれる。
【図面の簡単な説明】
【００２０】
【図１】爪切りの斜視図である。
【図２】爪切りの右側面図である。
【図３】爪切りの左側面図である。
【図４】爪切りの平面図である。
【図５】爪切りの底面図である。
【図６】爪切りの正面図である。
【図７】爪切りの背面図である。
【符号の説明】
【００２１】
１  上刃
１ａ  刃先
２  下刃
２ａ  刃先
３  作動部
４  付勢手段
５  基部
６  隙間
７  ピン
８  前レバー
９  後レバー
１０  貫通孔
１１  ストッパ
１２  当接部位
１３  螺子
１４  爪
【図１】
2012100808.tif 000003
【図２】
2012100808.tif 000004
【図３】
2012100808.tif 000005
【図４】
2012100808.tif 000006
【図５】
2012100808.tif 000007
【図６】
2012100808.tif 000008
【図７】
2012100808.tif 000009